(57)【特許請求の範囲】
【請求項１】
所定の被写体の画像を撮像する撮像手段と、
前記撮像手段により撮像された前記画像を記憶する第１の記憶手段と、
ユーザからの指令に基づいて、複数の動作モードのなかから所定の動作モードを設定する第１の設定手段と、
前記複数の動作モードに対応する複数種類の第１の効果音を予め記憶する第２の記憶手段と、
ユーザからの指令に基づいて、前記所定の動作モードにおける、特定の処理に対応する第２の効果音であって、ユーザに選択された第２の効果音を設定する第２の設定手段と、
所定の処理の実行を指示する指示手段と、
前記指示手段の操作によって、前記特定の処理の実行が指示された場合、前記第２の設定手段により設定されている前記第２の効果音を出力し、前記指示手段の操作によって、前記特定の処理以外の処理の実行が指示された場合、前記第１の設定手段により設定されている前記動作モードに対応する第１の効果音を前記第２の記憶手段から読み出し、出力する効果音出力手段と
を備えることを特徴とする情報入力装置。
【請求項２】
前記第２の設定手段は、前記複数の動作モードのうちの少なくとも記録モードにおける、前記特定の処理に対応する第２の効果音を設定する
ことを特徴とする請求項１に記載の情報入力装置。
【請求項３】
前記第２の設定手段は、少なくとも前記記録モードにおける、前記撮像手段により撮像された前記画像を第１の記憶手段に記憶させる前記特定の処理に対応する第２の効果音を設定する
ことを特徴とする請求項２に記載の情報入力装置。
【請求項４】
前記第２の記憶手段は、複数種類の第１の効果音とともに第２の効果音であるシャッタ擬音をさらに記憶する
ことを特徴とする請求項１に記載の情報入力装置。
【発明の詳細な説明】
【０００１】
【発明の属する技術分野】
本発明は、情報入力装置に関し、例えば、被写体の画像をディジタルデータに変換して記録する電子カメラ等に用いて好適な情報入力装置に関する。
【０００２】
【従来の技術】
近年、フィルムを使用したカメラに代わって、ＣＣＤ等を用いて被写体の画像を撮影し、それをディジタルのデータに変換して内蔵するメモリや、着脱可能なメモリカード等に記録する電子カメラが用いられるようになってきている。この電子カメラを用いて撮影した画像は、従来のカメラのように現像、焼き付けを経ることなく、即座に再生し、ＬＣＤ等の画面に表示することができる。
【０００３】
また、撮影した画像をディジタルのデータにして記録するため、パーソナルコンピュータとの相性もよく、その入力装置としても用いられるようになってきている。例えば、インターネットのホームページを作成する場合において、画像データを入力するためのツールとして用いられる場合がある。
【０００４】
また、画像だけでなく、音声も録音できるようにすることも考えられる。
【０００５】
【発明が解決しようとする課題】
このように、画像だけでなく、音声も記録することができるような電子カメラにおいては、音声を記録中に、例えばレリーズボタンを操作すると、レリーズボタンを操作したとき出力されるシャッタ擬音も記録されてしまう場合がある課題があった。
【０００６】
本発明はこのような状況に鑑みてなされたものであり、音声を記録しているときには、シャッタ擬音等の効果音が出力されないようにし、不要な情報が記録されないようにするものである。
【０００７】
【課題を解決するための手段】
請求項１に記載の情報入力装置は、所定の被写体の画像を撮像する撮像手段（例えば、図１の撮影レンズ３および図３のＣＣＤ２０）と、撮像手段により撮像された画像を記憶する第１の記憶手段（例えば、図３のメモリカード２４）と、ユーザからの指令に基づいて、複数の動作モードのなかから所定の動作モードを設定する第１の設定手段（例えば、図２のタッチタブレット６Ａ、およびペン６Ｂ）と、複数の動作モードに対応する複数種類の第１の効果音を予め記憶する第２の記憶手段（例えば、図４のメモリカード２４または音声ＩＣ３６が内蔵するメモリ）と、ユーザからの指令に基づいて、所定の動作モードにおける、特定の処理に対応する第２の効果音であって、ユーザに選択された第２の効果音を設定する第２の設定手段（例えば、図２のタッチタブレット６Ａ、およびペン６Ｂ）と、所定の処理の実行を指示する指示手段（例えば、図４の操作スイッチ３５、タッチタブレット６Ａ、およびペン６Ｂ）と、指示手段の操作によって、特定の処理の実行が指示された場合、第２の設定手段により設定されている第２の効果音を出力し、指示手段の操作によって、特定の処理以外の処理の実行が指示された場合、第１の設定手段により設定されている動作モードに対応する第１の効果音を第２の記憶手段から読み出し、出力する効果音出力手段（例えば、図４の音声ＩＣ３６、スピーカ５）とを備えることを特徴とする。
【０００８】
また、第２の設定手段は、複数の動作モードのうちの少なくとも記録モードにおける、特定の処理に対応する第２の効果音を設定するものとすることができる。
【０００９】
また、第２の設定手段は、少なくとも記録モードにおける、撮像手段により撮像された画像を第１の記憶手段に記憶させる特定の処理に対応する第２の効果音を設定するものとすることができる。
【００１０】
また、第２の記憶手段は、複数種類の第１の効果音とともに第２の効果音であるシャッタ擬音をさらに記憶するものとすることができる。
【００２４】
請求項１に記載の情報入力装置においては、撮像手段が、所定の被写体の画像を撮像し、第１の記憶手段が、撮像手段により撮像された画像を記憶し、第１の設定手段が、ユーザからの指令に基づいて、複数の動作モードのなかから所定の動作モードを設定し、第２の記憶手段が、複数の動作モードに対応する複数種類の第１の効果音を予め記憶し、第２の設定手段が、ユーザからの指令に基づいて、所定の動作モードにおける、特定の処理に対応する第２の効果音であって、ユーザに選択された第２の効果音を設定し、指示手段が、所定の処理の実行を指示し、効果音出力手段が、指示手段の操作によって、特定の処理の実行が指示された場合、第２の設定手段により設定されている第２の効果音を出力し、指示手段の操作によって、特定の処理以外の処理の実行が指示された場合、第１の設定手段により設定されている動作モードに対応する第１の効果音を第２の記憶手段から読み出し、出力することができる。
【００３０】
【発明の実施の形態】
図１および図２は、本発明を適用した電子カメラの一実施例の構成を示す斜視図である。説明の便宜上、被写体を撮影する場合において、電子カメラ１を構成する６つの面のうち、被写体に向けられる面を面Ｘ１とし、ユーザ側に向けられる面を面Ｘ２とする。面Ｘ１の上端部には、被写体の撮影範囲の確認に用いられるファインダ２、被写体の光画像を取り込む撮影レンズ３、および被写体を照明する光を発光する発光部（ストロボ）４が設けられている。
【００３１】
一方、面Ｘ１に対向する面Ｘ２の上端部（面Ｘ１のファインダ２、撮影レンズ３、および発光部４が形成されている上端部に対応する位置）には、上記ファインダ２、およびスピーカ５が設けられ、スピーカ５は、電子カメラ１が内蔵するメモリカード等に記録されている音声データに対応する音声を出力するようになされている。また、面Ｘ２上に形成されているＬＣＤ６および操作キー７は、ファインダ２、撮影レンズ３、発光部４、およびスピーカ５よりも、鉛直下側に形成されている。また、ＬＣＤ６の表面上には、所定のペン型指示装置（以下、適宜ペンと略記する）６Ｂの接触操作によって指示された位置に対応する位置データを出力する、いわゆるタッチタブレット６Ａが形成されている。
【００３２】
このタッチタブレット６Ａは、ガラス、樹脂等の透明な材料によって構成されており、ユーザは、タッチタブレット６Ａの内側に形成されているＬＣＤ６に表示される画像を、タッチタブレット６Ａを介して観察することができるようになっている。
【００３３】
操作キー７は、後述するように各種の機能に対応した複数のキーによって構成されており、ペン型指示装置６Ｂにより操作され、後述するメモリカード等に記録した画像データ、音声データ、あるいはテキストデータ等の記録データを再生し、ＬＣＤ６に表示する場合などに用いられる。例えば、メニューキー７Ａは、ＬＣＤ６上にメニュー画面を表示させるとき、操作される。実行キー７Ｂは、ユーザによって選択された記録データを再生するとき、操作される。
【００３４】
また、クリアキー７Ｃは、記録データを削除するとき、操作される。キャンセルキー７Ｄは、記録データの再生処理を中断するとき、操作される。スクロールキー７Ｅは、ＬＣＤ６に記録データの一覧が表示されている場合において、画面を上下方向にスクロールさせるとき、操作される。
【００３５】
この電子カメラ１の上面である面Ｚには、音声を集音するマイクロホン（マイク）８、および図示せぬイヤホンを接続するためのイヤホンジャック９が設けられている。
【００３６】
左側面（面Ｙ１）には、被写体を撮影するときに操作されるレリーズスイッチ（レリーズボタン）１０、および電源のオン／オフを切り替える電源スイッチ１１が設けられている。このレリーズスイッチ１０、および電源スイッチ１１は、面Ｘ１の上端部に設けられているファインダ２、撮影レンズ３、および発光部４よりも鉛直下側に配置されている。
【００３７】
一方、面Ｙ１に対向する面Ｙ２（右側面）には、音声を録音するときに操作される録音スイッチ１２と、撮影時の連写モードを切り換えるときに操作される連写モード切り換えスイッチ１３が設けられている。この録音スイッチ１２および連写モード切り換えスイッチ１３は、上記レリーズスイッチ１０および電源スイッチ１１の場合と同様に、面Ｘ１の上端部に設けられているファインダ２、撮影レンズ３、および発光部４よりも鉛直下側に配置されている。また、録音スイッチ１２は、面Ｙ１のレリーズスイッチ１０とほぼ同じ高さに配置されており、左右どちらの手で持っても、違和感がないようになっている。
【００３８】
なお、レリーズスイッチ１０の高さと、録音スイッチ１２の高さを、あえて異ならせるようにし、例えば、一方のスイッチだけを指で押した場合に、この押圧力によって発生するモーメントを打ち消すために、同時に反対側の側面を指で保持したとき、反対側の側面に設けられたスイッチを誤って押してしまわないようにすることができる。
【００３９】
上記連写モード切り換えスイッチ１３は、ユーザがレリーズスイッチ１０を押して被写体を撮影するとき、被写体を１コマだけ撮影するのか、または、所定の複数コマを連続して撮影するのかを設定する場合に用いられる。例えば、連写モード切り換えスイッチ１３の指針が「Ｓ」と印刷された位置に切り換えられている（すなわち、Ｓモードに切り換えられている）場合において、レリーズスイッチ１０が押されると、１コマだけ撮影が行われる。
【００４０】
また、連写モード切り換えスイッチ１３の指針が「Ｌ」と印刷された位置に切り換えられている（すなわち、Ｌモードに切り換えられている）場合において、レリーズスイッチ１０が押されると、レリーズスイッチ１０が押されている間、１秒間に８コマの割合で撮影が行われる。すなわち、低速連写モードによる撮影が行われる。
【００４１】
さらに、連写モード切り換えスイッチ１３の指針が「Ｈ」と印刷された位置に切り換えられている（すなわち、Ｈモードに切り換えられている）場合において、レリーズスイッチ１０が押されると、レリーズスイッチ１０が押されている間、１秒間に３０コマの割合で撮影が行われる。すなわち、高速連写モードでの撮影が行われる。
【００４２】
次に、電子カメラ１の内部の構成について説明する。図３は、図１および図２に示す電子カメラの内部の構成例を示す斜視図である。ＣＣＤ２０は、撮影レンズ３の後段（面Ｘ２側）に設けられており、撮影レンズ３を介して結像する被写体の光画像を対応する電気信号（画像信号）に光電変換して出力するようになされている。
【００４３】
ＬＣＤ６の鉛直下側には、例えば、円柱形状の４本のバッテリ（例えば単３の乾電池）２１が並べて配置されており、このバッテリ２１に蓄積されている電力が各部に供給される。また、発光部４が発光するとき必要とされる電荷を蓄積するコンデンサ２２が、バッテリ２１と並べて配置されている。
【００４４】
回路基板２３には、この電子カメラ１の各部を制御する、種々の制御回路が形成されている。また、回路基板２３と、ＬＣＤ６およびバッテリ２１の間には、挿抜可能なメモリカード（記録媒体）２４が設けられており、電子カメラ１に入力される各種の情報がメモリカード２４の予め設定された各領域に記録される。
【００４５】
なお、本実施例においては、メモリカード２４は挿抜可能とされているが、回路基板２３上にメモリを設け、そのメモリに各種情報を記録可能とするようにしてもよい。さらに、メモリカード（またはメモリ）２４に記録されている各種情報を、図示せぬインタフェースを介して外部のパーソナルコンピュータ等に出力させるようにすることも可能である。
【００４６】
次に、本実施例の電子カメラ１の内部の電気的構成例を、図４に示したブロック図を参照して説明する。複数の画素を備えているＣＣＤ２０は、各画素に結像した光画像を画像信号（電気信号）に光電変換するようになされている。ＣＣＤ駆動回路（ＶＤＲＶ）３９は、後述するディジタルシグナルプロセッサ（以下、ＤＳＰという）３３に制御され、ＣＣＤ２０を駆動するようになされている。
【００４７】
相関二重サンプリング回路（以下、ＣＤＳという）３１は、ＣＣＤ２０が光電変換した画像信号を所定のタイミングでサンプリングするようになされている。ＡＧＣ（自動利得制御回路）４０は、ＣＤＳ３１によりサンプリングされた信号の利得（ゲイン）を制御するようになされている。アナログ／ディジタル変換回路（以下、Ａ／Ｄ変換回路という）３２は、ＣＤＳ３１でサンプリングした画像信号をディジタル化してＤＳＰ３３に供給するようになされている。
【００４８】
ＤＳＰ３３は、ディジタル化された画像データをバッファメモリ３７に一旦供給し、記憶させる。圧縮伸張メモリコントロール回路（ｃｏｍｐ／ｄｃｏｍｐ／ＭＣ）３８は、バッファメモリ３７に記憶された画像データを読み出し、例えば、後述するＪＰＥＧ（Joint Photographic Experts Group）方式で圧縮した後、データバス４２を介してメモリカード２４に供給し、所定の領域（画像記録領域）に記録させるようになされている。
【００４９】
また、ＣＰＵ３４は、図示せぬ時計回路を内蔵しており、撮影した日時の情報を画像データのヘッダ情報として、メモリカード２４の画像記録領域に記録するようになされている。すなわち、メモリカード２４の画像記録領域に記録される画像データには、撮影日時のデータが付加される。
【００５０】
マイクロホン（マイク）８は音声を入力し、その音声に対応する音声信号を音声ＩＣ３６に供給するようになされている。音声ＩＣ３６は、供給された音声信号をディジタルの音声データに変換し、圧縮した後、メモリカード２４に供給し、所定の領域（音声記録領域）に記録させるようになされている。また、このとき、メモリカード２４の音声記録領域には、録音日時のデータが音声データのヘッダ情報として記録されるようになされている。
【００５１】
また、ストロボ（発光部）４は、ＣＰＵ３４により制御され、所定のタイミングで発光し、被写体に対して光を照射するようになされている。
【００５２】
ユーザが操作するペン型指示装置６Ｂによって、タッチタブレット６Ａの所定の位置が押圧されると、ＣＰＵ３４は、タッチタブレット６Ａの押圧された位置に対応するＸＹ座標を読み取り、その座標データ（後述する線画情報を構成する）を図示せぬ所定のメモリに蓄積するようになされている。また、ＣＰＵ３４は、メモリに蓄積した線画情報を、線画情報を入力した日時等のヘッダ情報とともに、メモリカード２４に供給し、線画情報記録領域に記録させるようになされている。
【００５３】
ＣＰＵ３４には、ＣＰＵ制御バス４１を介してバッファメモリ３７とＬＣＤ６が接続されており、バッファメモリ３７に記憶されている画像データに対応する画像をＬＣＤ６に表示することができるようになされている。但し、圧縮処理を受けた画像データは、一旦、圧縮伸張メモリコントロール回路３８に入力され、そこで伸長されてからデータバス４２を介してバッファメモリ３７に供給されるようになされている。
【００５４】
また、音声ＩＣ３６には、スピーカ５が接続されており、メモリカード２４より読み出された音声データは、音声ＩＣ３６によって伸張され、アナログの音声信号に変換された後、スピーカ５より出力されるようになされている。
【００５５】
また、操作スイッチ（ＳＷ）３５は、図１乃至図３におけるレリーズスイッチ１０、電源スイッチ１１、録音スイッチ１２、および連写モード切り替えスイッチ１３に対応しており、各スイッチが操作されると、対応する信号がＣＰＵ３４に供給されるようになされている。そして、ＣＰＵ３４は、各スイッチが操作されたとき、対応する所定の処理を実行するようになされている。
【００５６】
次に、その動作について説明する。最初に、上記実施例における音声の入出力処理について説明する。図１に示す電源スイッチ１１が「ＯＮ」と印刷されている側に切り換えられ、電子カメラ１に電源が投入され、面Ｙ２に設けられている録音スイッチ１２が押されると、録音処理（音声の入力とその記録を行う処理）が開始される。即ち、マイクロホン８を介して入力された音声は、音声ＩＣ３６によって、ディジタルの音声データに変換され、圧縮処理が施された後、メモリカード２４に供給され、メモリカード２４の音声記録領域に記録される。このとき、メモリカード２４の音声記録領域には、録音日時等のデータが、圧縮された音声データのヘッダ情報として記録される。このような動作が、録音スイッチ１２を押圧している間、繰り返し実行される。
【００５７】
なお、音声の圧縮方法としては、ＰＣＭ（Pulse Code Modulation）方式、その他の方法を用いることができる。
【００５８】
次に、被写体を撮影する場合の動作について説明する。最初に、面Ｙ２に設けられている連写モード切り換えスイッチ１３が、Ｓモード（１コマだけ撮影を行うモード）に切り換えられている場合について説明する。まず、図１に示したように、面Ｙ１側に設けられた電源スイッチ１１を「ＯＮ」と印刷されている側に切り換えて、電子カメラ１に電源を投入する。ファインダ２で被写体を確認し、面Ｙ１に設けられているレリーズスイッチ１０を押すと、被写体の撮影処理が開始される。
【００５９】
ファインダ２で観察される被写体の光画像が撮影レンズ３によって集光され、複数の画素を備えるＣＣＤ２０に結像する。ＣＣＤ２０に結像した被写体の光画像は、各画素において画像信号に光電変換され、ＣＤＳ３１によってサンプリングされる。ＣＤＳ３１によってサンプリングされた画像信号は、ＡＧＣ４０を介してゲインが制御された後、Ａ／Ｄ変換回路３２に供給され、そこでディジタル化されてＤＳＰ３３に供給される。
【００６０】
ＤＳＰ３３は、ディジタル化された画像データをバッファメモリ３７に一旦供給し、記憶させる。圧縮伸張メモリコントロール回路３８は、バッファメモリ３７から読み出した画像データを、離散的コサイン変換、量子化、およびハフマン符号化を組み合わせたＪＰＥＧ方式に従って圧縮する。圧縮伸張メモリコントロール回路３８は、圧縮した画像データをデータバス４２を介してメモリカード２４に供給する。メモリカード２４は、圧縮伸張メモリコントロール回路３８より供給された画像データを画像記録領域に記録する。このとき、メモリカード２４の画像記録領域には、撮影日時のデータが上記画像データのヘッダ情報として記録される。
【００６１】
なお、連写モード切り換えスイッチ１３がＳモードに切り換えられている場合においては、レリーズスイッチ１０が押される毎に、１コマの撮影だけが行われる。従って、レリーズスイッチ１０を押し、そのまま継続して押し続けても、１コマの撮影だけが行われる。また、レリーズスイッチ１０が所定の時間だけ継続して押され続けると、ＬＣＤ６上にいま撮影した画像が表示されるようになっている。
【００６２】
次に、連写モード切り換えスイッチ１３がＬモード（１秒間に８コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、次のようにして、被写体の撮影処理が開始される。
【００６３】
ファインダ２で観察される被写体からの光が撮影レンズ３によって集光され、複数の画素を備えるＣＣＤ２０上に結像する。ＣＣＤ２０に結像した被写体の光画像は、各画素において画像信号に光電変換され、ＣＤＳ３１によって１秒間に８回の割合でサンプリングされる。また、このとき、ＣＤＳ３１は、ＣＣＤ２０からの全画素に対応する画像電気信号のうち、その４分の３の画素に相当するものを間引く。
【００６４】
ＣＤＳ３１によってサンプリングされた画像信号（ＣＣＤ２０の全画素中の４分の１の画素の画像信号）は、Ａ／Ｄ変換回路３２に供給され、そこでディジタル化されてＤＳＰ３３に出力される。
【００６５】
ディジタル化された画像データは、ＤＳＰ３３によりバッファメモリ３７に一旦供給され、記憶される。バッファメモリ３７に記憶された画像データは、圧縮伸張メモリコントロール回路３８により読み出され、ＪＰＥＧ方式に従って圧縮される。圧縮伸張メモリコントロール回路３８において圧縮処理された画像データは、データバス４２を介してメモリカード２４に供給され、画像記録領域に記録される。このとき、メモリカード２４の画像記録領域には、撮影日時のデータが、上記画像データのヘッダ情報として記録される。
【００６６】
次に、連写モード切り換えスイッチ１３がＨモード（１秒間に３０コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、次のようにして、被写体の撮影処理が開始される。
【００６７】
ファインダ２で観察される被写体からの光が撮影レンズ３によって集光され、ＣＣＤ２０上に結像する。複数の画素を備えるＣＣＤ２０に結像した被写体の光画像は、各画素において画像信号に光電変換され、ＣＤＳ３１によって１秒間に３０回の割合でサンプリングされる。また、このとき、ＣＤＳ３１は、ＣＣＤ２０からの全画素に対応する画像電気信号のうち、その９分の８の画素に相当するものを間引く。
【００６８】
ＣＤＳ３１によってサンプリングされた画像信号（ＣＣＤ２０の全画素中の９分の１の画素の画像信号）は、Ａ／Ｄ変換回路３２に供給され、そこでディジタル化されてＤＳＰ３３に出力される。
【００６９】
ＤＳＰ３３は、ディジタル化された画像データをバッファメモリ３７に一旦供給し、記憶させる。圧縮伸張メモリコントロール回路３８は、バッファメモリ３７より画像データを読み出し、ＪＰＥＧ方式に従って圧縮する。このようにして、ディジタル化および圧縮処理された画像データは、データバス４２を介してメモリカード２４に供給され、撮影日時のヘッダ情報とともに、メモリカード２４の画像記録領域に記録される。
【００７０】
なお、被写体の撮影時に、必要に応じてストロボ（発光部）４を動作させ、被写体に光を照射することもできる。
【００７１】
次に、タッチタブレット６Ａを用いて、２次元の情報（ペン入力情報）を入力する場合の動作について説明する。タッチタブレット６Ａにペン型指示装置６Ｂのペン先を接触させると、接触した箇所のＸＹ座標に対応するデータがＣＰＵ３４に入力される。このＸＹ座標に対応するデータは、ＣＰＵ３４に供給され、ＣＰＵ３４により、バッファメモリ３７の上記ＸＹ座標に対応する位置に、例えば、所定の大きさの点に対応する画像データが書き込まれ、ＣＰＵ３４の制御によりＬＣＤ６上の対応する位置に、所定の大きさの点が表示される。
【００７２】
上述したように、ＬＣＤ６の表面上に形成されているタッチタブレット６Ａは、透明部材によって構成されているので、ユーザは、ＬＣＤ６上の、ペン型指示装置６Ｂのペン先でタッチタブレット６Ａを押圧した位置に表示される点を観察することができ、あたかもＬＣＤ６上に直接ペン入力をしたかのように感じることができる。また、ペン型指示装置６Ｂをタッチタブレット６Ａに接触させながら移動させると、ＬＣＤ６上には、ペン型指示装置６Ｂが移動した軌跡に沿って線が表示される。さらに、ペン型指示装置６Ｂをタッチタブレット６Ａ上で断続的に移動させると、ＬＣＤ６上には、ペン型指示装置６Ｂの移動に伴って破線が表示される。以上のようにして、ユーザは、タッチタブレット６Ａ（ＬＣＤ６）を用いて、所望の文字、図形等の線画情報を入力することができる。
【００７３】
また、ＬＣＤ６上に画像が表示されている場合において、ペン型指示装置６Ｂによって例えば文字等の線画情報が入力されると、この線画情報が、画像情報とともにバッファメモリ３７で合成され、ＬＣＤ６上に同時に表示される。
【００７４】
なお、ユーザは、図示せぬ色選択スイッチを操作することにより、ＬＣＤ６上に表示される線画の色を、黒、白、赤、青等の複数の色から選択するようにすることができる。
【００７５】
ペン型指示装置６Ｂとタッチタブレット６Ａによる線画情報の入力後、操作キー７の実行キー７Ｂが押されると、所定のメモリに蓄積されている線画情報が、入力日時のヘッダ情報とともにＣＰＵ制御バス４１を介してメモリカード２４に供給され、メモリカード２４の線画情報記録領域に記録される。
【００７６】
なお、メモリカード２４に記録される線画情報は、圧縮処理が施された情報である。タッチタブレット６Ａに入力された線画情報は空間周波数成分の高い情報を多く含んでいるので、上記画像の圧縮に用いられるＪＰＥＧ方式によって圧縮処理を行うと、圧縮効率が悪く、情報量があまり少なくならない。また、ＪＰＥＧ方式による圧縮は、非可逆圧縮であるので、情報量の少ない線画情報の圧縮には適していない。これは、伸長してＬＣＤ６上に表示した場合、情報の欠落に伴うギャザ、にじみ等が際だってしまうためである。
【００７７】
そこで、本実施例においては、ファックス等において用いられるランレングス法によって、線画情報を圧縮するようにしている。ランレングス法とは、線画画面を水平方向に走査し、黒、白、赤、青等の各色の情報（点）の継続する長さ、および無情報（ペン入力のない部分）の継続する長さを符号化することにより、線画情報を圧縮する方法である。
【００７８】
このランレングス法を用いることにより、線画情報を効率的に圧縮することができ、また、圧縮された線画情報を伸長した場合においても、情報の欠落を抑制することが可能になる。なお、線画情報の情報量が比較的少ない場合には、それを圧縮しないようにすることもできる。
【００７９】
また、上述したように、ＬＣＤ６上に画像が表示されている場合において、ペン入力を行うと、画像データとペン入力された線画情報がバッファメモリ３７で合成され、画像と線画の合成画像がＬＣＤ６上に表示される。しかしながら、メモリカード２４上においては、画像データは画像記録領域に記録され、線画情報は線画情報記録領域に別々に記録される。このように、２つの情報が、それぞれ異なる領域に記録されるので、ユーザは、画像と線画の合成画像から、いずれか一方だけを削除することができる。また、各画像情報を個別の圧縮方法で圧縮して記録することもできる。
【００８０】
メモリカード２４の音声記録領域、画像記録領域、および線画情報記録領域の少なくともいずれか１つにデータを記録した場合、図５に示すように、記録された情報の一覧を示す一覧表示画面をＬＣＤ６に表示することができる。図５に示すＬＣＤ６の一覧表示画面上においては、情報を記録した時点の年月日（記録年月日）（この場合、１９９５年８月２５日）が画面の下端部に表示され、その記録年月日に記録された情報の記録時刻が画面の最も左側に表示される。
【００８１】
記録時刻の右隣には、画像データが記録されている場合、サムネイル画像が表示される。このサムネイル画像は、メモリカード２４に記録された画像データの各画像データのビットマップデータを間引くことによって作成された縮小画像である。従って、サムネイル画像が表示されている情報は、画像情報を含む情報である。即ち、「１０時１６分」と「１０時２１分」に記録（入力）された情報には、画像情報が含まれており、「１０時０５分」、「１０時２８分」、「１０時５４分」、「１３時１０分」に記録された情報には、画像情報が含まれていない。
【００８２】
また、メモ記号「＊」は、所定のメモが線画情報として記録されていることを表している。
【００８３】
さらに、サムネイル画像の表示領域の右側には、音声情報バーが表示され、音声が録音された時間に対応する所定の長さを有するバー（線）が表示される。音声情報が記録されていない場合、この音声情報バーは表示されない。
【００８４】
ユーザは、図５に示した画面上において、所望の情報が表示された矩形領域内を、ペン型指示装置６Ｂのペン先で押圧することにより、再生すべき情報を選択指定し、図２に示した実行キー７Ｂをペン型指示装置６Ｂのペン先で押圧することによって、選択した情報の再生を指示する。これにより、選択された情報が出力される。
【００８５】
例えば、図５に示した画面上において、「１０：０５」が表示されている帯状の領域内がペン型指示装置６Ｂによって押圧されると、ＣＰＵ３４は、選択された録音日時（１０時０５分）に対応する音声を再生するように音声ＩＣ３６に指令する。
【００８６】
音声ＩＣ３６は、ＣＰＵ３４の指令に従って、メモリカード２４から音声データを読み出し、伸張処理を施し、アナログ信号に変換した後、スピーカ５より出力させる。なお、イヤホンジャック９に図示せぬイヤホンが接続されている場合においては、スピーカ５からは音声が出力されず、イヤホンより音声が出力される。
【００８７】
メモリカード２４に記録した画像データを再生する場合、ユーザは、所望のサムネイル画像をペン型指示装置６Ｂのペン先で押圧することにより、その情報を選択し、次に、実行キー７Ｂを押すことにより、選択した情報の再生を指示する。
【００８８】
選択されたサムネイル画像に対応する画像データは、メモリカード２４から読み出され、圧縮伸張メモリコントロール回路３８において伸長される。伸張された画像データは、データバス４２を介してバッファメモリ３７に供給され、ビットマップデータとして記憶される。次に、ＣＰＵ３４により、バッファメモリ３７に記憶された画像データに対応する制御信号がＬＣＤ６に供給され、対応する画像が表示される。
【００８９】
このとき、音声データも記録されている場合（例えば、記録時刻が「１０：１６」、「１０：２１」の場合）、上述したようにして、スピーカ５より音声を出力させるようにすることもできる。
【００９０】
ところで、音声ＩＣ３６の内蔵するメモリ、あるいはメモリカード２４に、所定の効果音に対応するデータを予め記憶させておき、操作スイッチ３５やタッチタブレット６Ａが操作されたとき、音声ＩＣ３６が所定の効果音を出力するようにすることができる。また、レリーズスイッチ１０が押されたとき、従来のフィルムを用いたカメラの場合と同様に、シャッタが切れる音を電気的に発生させるようにすることができる。以下では、この音をシャッタ擬音という。このシャッタ擬音によって、ユーザは、所定の被写体が撮影され、その画像の記録が行われたことを確認することができる。
【００９１】
次に、図６に示したフローチャートを参照して、電子カメラ１の録音スイッチ１２を操作し、マイクロホン８より入力される音声を記録している場合において、即ち、電子カメラ１をテープレコーダとして用いているような場合において、レリーズスイッチ１０が操作され、所定の被写体の撮影が指示されたとき、シャッタ擬音の出力を行わないようにする方法について説明する。
【００９２】
最初、ステップＳ１において、ＣＰＵ３４により、操作スイッチ３５またはタッチタブレット６Ａが操作されたか否かが判定される。操作スイッチ３５またはタッチタブレット６Ａが操作されていないと判定された場合、ステップＳ１に戻り、ステップＳ１の処理が繰り返し実行される。一方、操作スイッチ３５またはタッチタブレット６Ａが操作されたと判定された場合、ステップＳ２に進み、レリーズスイッチ１０が押されたか否かが判定される。
【００９３】
ステップＳ２において、レリーズスイッチ１０が押されたと判定された場合、ステップＳ３に進み、現在、音声を記録中であるか否かが判定される。現在、音声を記録中であると判定された場合、ステップＳ４に進み、シャッタ擬音を消し（出力しないようにし）、図７に示すように、ファインダ２のアイピース２Ａ内に設けた発光ダイオード２Ｂを点灯させる。これにより、ユーザは、発光ダイオード２Ｂの発光によって、被写体の画像の撮影動作、即ち、被写体を撮影し、その画像をメモリカード２４に記録させる動作が開始されたことを視覚的に確認することができる。
【００９４】
あるいは、図８に示すように、１眼レフの場合、ファインダ５１内の被写体の画像が表示されるスクリーン５２の外側に発光ダイオード５３を設け、それを点灯させるようにすることができる。一方、音声を記録中ではないと判定された場合、ステップＳ６に進み、シャッタ擬音を出力し、ユーザに対して、被写体の画像の撮影動作が開始されたことを聴覚的に確認させる。
【００９５】
次に、ステップＳ５に進み、撮影した画像がメモリカード２４に記録される。その後、ステップＳ１に戻り、ステップＳ１以降の処理が繰り返し実行される。
【００９６】
また、ステップＳ２において、レリーズスイッチ１０以外の操作スイッチ３５やタッチタブレット６Ａが操作されたと判定された場合、ステップＳ７に進む。ステップＳ７においては、現在、音声を記録中であるか否かが判定され、音声を記録中であると判定された場合、操作に対応する効果音の出力を行わず、ステップＳ９に進み、操作に対応する処理を実行する。一方、音声を記録中ではないと判定された場合、ステップＳ８に進み、操作に対応する所定の効果音を出力させた後、操作に対応する処理を実行する。
【００９７】
以上のようにして、音声を記録している場合、シャッタ擬音やその他の効果音の出力を中止し、シャッタ擬音や効果音が音声とともにメモリカード２４に記録されることがないようにすることができる。
【００９８】
上述したように、圧縮伸張メモリコントロール回路３８は、撮影した画像を、例えばＪＰＥＧ方式等により圧縮した後、メモリカード２４に供給し、記録させる。その場合、圧縮率を可変にし、図１３、図１４を参照して後述するように、圧縮率をユーザが設定できるようにすることができる。例えば、撮影した画像を１／２０のデータ量に圧縮する「ノーマルモード」と、撮影した画像を１／１０のデータ量に圧縮する「ファインモード」を設定することができるようにする。
【００９９】
そして、レリーズスイッチ１０が操作されたとき出力される効果音（シャッタ擬音）を、そのときに設定されている圧縮率に応じて変化させるようにすることができる。例えば、ノーマルモードに設定されている場合、レリーズスイッチ１０が操作されたとき、比較的低い周波数の音を出力させ、ファインモードに設定されている場合、レリーズスイッチ１０が操作されたとき、比較的高い周波数の音を出力させる。勿論、音の強弱や音色を変化させるようにしてもよい。これにより、ユーザは、聴覚的に、レリーズスイッチ１０を操作したことを確認するとともに、現在、設定されている圧縮率も確認することができる。
【０１００】
また、レリーズスイッチ１０が操作された場合において、所定の音を記録中であるとき、シャッタ擬音は出力せず、その代わりに、図９に示すように、圧縮率がノーマルモードに設定されている場合においては、ファインダ５１内の発光ダイオード６１Ｂを発光させ、ノーマルを意味する例えば文字「Ｎ」が浮きでるようにする。また、圧縮率がファインモードに設定されている場合には、発光ダイオード６１Ｂを発光させ、ファインを意味する例えば文字「Ｆ」が浮きでるようにする。これにより、ユーザは、視覚的に、レリーズスイッチ１０を操作したことを確認するとともに、現在、設定されている圧縮率も確認することができる。また、シャッタ擬音が出力されないので、それが音声とともに記録されることもない。
【０１０１】
あるいは、図１０に示すように、レリーズスイッチ１０が操作されたとき、ＬＣＤ６に例えば文字列「レリーズ」を表示するようにすることができる。これにより、ユーザは、レリーズボタン１０を操作したことを視覚によって確認することができる。また、レリーズスイッチ１０が操作されたとき、文字列「レリーズ」とともに、現在設定されている圧縮率に対応する文字や絵等をＬＣＤ６に表示させるようにすることもできる。その場合、ユーザは、レリーズボタン１０を操作したことを確認するとともに、現在設定されている圧縮率も確認することができる。
【０１０２】
次に、図１１乃至図１７を参照して、圧縮率を設定する手順およびシャッタ擬音（レリーズ音）を設定する手順について説明する。最初に、図１１に示すように、タッチタブレット６Ａのメニューキー７Ａをペン６Ｂを用いて選択すると、図１２に示すような選択画面がＬＣＤ６に表示される。この画面には、例えば、「記録モード」、「再生モード」、「個人情報処理モード」、「カレンダー表示モード」、および「設定モード」等の選択項目が表示される。ここで、選択項目「設定モード」をペン６Ｂを用いて選択すると、図１３に示すように、設定可能な項目が表示される。
【０１０３】
その中の、例えば、項目「圧縮率」を選択すると、図１４に示すような圧縮率設定画面が表示される。項目「ノーマル」は上記ノーマルモードのことであり、「ファイン」はファインモードのことである。ここで、項目「ノーマル」をペン６Ｂを用いて選択すると、圧縮率がノーマルモードに設定される。また、項目「ファイン」をペン６Ｂを用いて選択すると、圧縮率がファインモードに設定される。
【０１０４】
一方、図１３の設定モード選択画面において、項目「効果音」をペン６Ｂを用いて選択すると、図１５に示すような効果音設定画面が表示される。項目「レリーズ音再生［Ａ］［Ｂ］［Ｒ］」の文字Ａは、所定の効果音Ａを表し、文字Ｂは、所定の効果音Ｂを表し、文字Ｒは、後述するようにして、ユーザ自身が録音した音声を表している。従って、この場合、Ａ、Ｂ、Ｒの中のいずれかを選択することにより、レリーズスイッチ１０が操作されたときに出力される効果音を選択し、設定することができる。
【０１０５】
また、効果音設定画面において、項目「レリーズ音録音［ＲＥＣ］」をペン６Ｂを用いて選択すると、図１６に示すように、ＬＣＤ６にメッセージ「録音スイッチを押してください」が表示される。このメッセージに従って、ユーザが録音スイッチ１２を操作すると、図１７に示すようなメッセージ「レリーズ音を入力してください」が表示されるので、ユーザは、レリーズ音として登録したい所定の音声を、マイクロホン８より入力する。マイクロホン８より入力された音声は、音声ＩＣ３６において圧縮された後、音声ＩＣ３６が内蔵するメモリ、あるいはメモリカード２４の所定の領域に記録される。このようにして、ユーザは、レリーズ音として所望の音声を登録することができる。
【０１０６】
これにより、図１５の効果音設定画面において、項目「レリーズ音再生［Ａ］、［Ｂ］、［Ｒ］」の中の、例えば、［Ｒ］をペン６Ｂを用いて選択すると、上述したようにしてユーザが入力し、登録した所定の音声が、レリーズ音として設定され、それ以降、レリーズスイッチ１０が操作される度に、その音声がレリーズ音として出力されるようになる。
【０１０７】
ところで、電子カメラ１は、例えば次のようなモードを有している。
【０１０８】
・情報入力モード（記録モード）
・情報再生モード（再生モード）
・個人情報処理モード
・カレンダー表示モード
・設定モード
【０１０９】
「記録モード」は、例えば、画像情報、音声情報、テキスト情報等を入力したり、あるいは、例えば、タッチタブレット６Ａ上にペン６Ｂを接触させた状態で移動させることによって線画情報を入力し、メモリカード２４に記録させるモードであり、「再生モード」は、メモリカード２４に記録された画像情報、音声情報、テキスト情報、あるいは線画情報等を再生するモードである。
【０１１０】
また、個人情報処理モードは、入力済みの個人情報（例えば、友人の電話番号や住所等）の閲覧、または新たな個人情報の入力を行うモードであり、カレンダー表示モードは、予定表を作成したり、それを閲覧するモードである。設定モードについては、上述したように、圧縮率を設定したり、効果音を設定するなどのように、電子カメラ１の撮影環境に対応する所定のデフォルト値を変更したり、ストロボの動作を設定するモードである。
【０１１１】
ユーザが操作スイッチ３５またはタッチタブレット６Ａを操作したとき、現在のモードに対応した効果音を出力させるようにすることができる。例えば、各モードに対応した複数種類の効果音のデータを、メモリカード２４または音声ＩＣ３６が内蔵するメモリ等に予め記憶させておく。そして、操作スイッチ３５またはタッチタブレット６Ａが操作されたとき、音声ＩＣ３６は、その時点での電子カメラ１のモードに対応する効果音をメモリカード２４または内蔵するメモリより読み出し、スピーカ５より出力させる。
【０１１２】
例えば、各モード毎に、対応する効果音の周波数や長さを変化させたり、あるいは音色や強弱を変化させることができる。また、それらを組み合わせて変化させることもできる。例えば、「記録モード」の場合、７００Ｈｚの「ピッ」という音を出力させ、「再生モード」の場合、「記録モード」の場合の７００Ｈｚに対して１オクターブ低い周波数である３５０Ｈｚの「プッ」という音を出力させる。また「個人情報処理モード」の場合、１４００Ｈｚの「ピン」という音を出力させ、「カレンダー表示モード」の場合、１４００Ｈｚの「カーン」という音を出力させる。さらに、「設定モード」の場合、７００Ｈｚの「ポッ」という音を出力させる。
【０１１３】
このようにして、各モードにおいて、タッチタブレット６Ａや操作スイッチ３５が操作されたときに出力される効果音が自動的に変化するようにすることにより、ユーザは、例えば、暗い場所で電子カメラ１を操作する場合でも、いまどのモードにあるのかを聴覚的に認識することができ、操作ミスを抑制することができる。
【０１１４】
また、連写モード切り換えスイッチ１３によって設定されている現在の連写モードに応じて、レリーズスイッチ１０が操作されたときに出力されるレリーズ音（シャッタ擬音）を変化させるようにすることもできる。例えば、連写モードが高速連写モード（Ｈモード）に設定されているとき、レリーズスイッチ１０が操作されると、比較的高い周波数のレリーズ音を出力し、連写モードが低速連写モード（Ｌモード）に設定されているとき、比較的低い周波数のレリーズ音を出力するようにする。また、連写モードがＳモード（１コマずつ撮影するモード）に設定されているとき、さらに低い周波数のレリーズ音を出力するようにする。
【０１１５】
これにより、ユーザは、レリーズスイッチ１０を操作したとき、いま、どの連写モードに設定されているかを聴覚的に認識することができる。
【０１１６】
図１８は、本発明の電子カメラ１の他の実施例の電気的な構成例を示すブロック図である。この実施例においては、図４に示した実施例において、音声ＩＣ３６とスピーカ５の間に、ローパス／ハイパスフィルタ７１を設けるようにしている。その他の構成および動作は、図４に示した実施例の場合と同様であるので、ここではその説明は省略するが、ローパス／ハイパスフィルタ７１は、音声ＩＣ３６より出力される音声信号から、所定の周波数より高い周波数、および所定の周波数より低い周波数の信号だけを遮断するようになされている。
【０１１７】
従って、例えば、効果音の周波数を通常の音声の周波数より低い３０Ｈｚ、または、通常の音声の周波数より高い１０ｋＨｚとし、ローパス／ハイパスフィルタ７１として、３０Ｈｚ以下の低い周波数、および１０ｋＨｚ以上の高い周波数の信号を遮断する機能を有するものを用いるようにすることにより、音声ＩＣ３６より出力される効果音だけを遮断し、その他の音声信号だけをスピーカ５より出力させるようにすることができる。
【０１１８】
図１９は、本発明の電子カメラ１の他の実施例の電気的な構成例を示すブロック図である。この実施例においては、図４に示した実施例において、新たに、加算器８１，８２、インバータ８３、発振器８４を設けるようにしている。
【０１１９】
加算器８１は、音声ＩＣ３６より出力された音声信号と、発振器８４より出力された所定の効果音に対応する信号を入力し、それらを加算した信号をスピーカ５に供給するようになされている。加算器８２は、マイクロホン８より入力された音声および効果音と、インバータ８３より供給された信号とを加算し、音声ＩＣ３６に供給するようになされている。発振器８４は、ＣＰＵ３４に制御され、所定の周波数の効果音を発生するようになされている。
【０１２０】
例えば、所定の音声を録音している場合、タッチタブレット６Ａまたは操作スイッチ３５が操作されると、ＣＰＵ３４の制御により、発振器８４から操作に対応した所定の周波数の効果音が出力される。発振器８４より出力された所定の効果音に対応する信号は、加算器８１およびインバータ８３に供給される。加算器８１は、発振器８４より供給された所定の効果音に対応する信号をスピーカ５に供給し、スピーカ５より所定の効果音が出力される。
【０１２１】
一方、インバータ８３に供給された所定の効果音に対応する信号は、そこで位相が反転され、加算器８２に供給される。マイクロホン８には、周囲の音声と、スピーカ５より出力される効果音とが入力される。そして、入力された効果音と、インバータ８３より入力された信号（この信号は、効果音の位相とは逆の位相を有している）とが加算される。その結果、効果音の信号レベルが低下する。即ち、加算器８２より音声ＩＣ３６に供給される信号に含まれる効果音のレベルが低下する。これにより、メモリカード２４に効果音ができるだけ記録されないようにすることができる。
【０１２２】
あるいは、図４に示した実施例において、マイクロホン８より入力された音声（効果音がスピーカ５より出力される場合には効果音も含む）に対応する音声データをメモリカード２４に記録する場合、記録開始時刻ＴSをその都度、メモリカード２４等に記録しておくようにする。そして、音声を記録中に、操作スイッチ３５、またはタッチタブレット６Ａが操作され、音声ＩＣ３６が所定の効果音を発生したとき、効果音を発生した時刻ＴKを表す情報をメモリカード２４等に記録しておくようにする。ここでの時刻ＴS、ＴKは、ＣＰＵ３４が備える時計回路が発生する絶対時刻である。
【０１２３】
そして、メモリカード２４に記録した音声データを音声ＩＣ３６が再生するとき、その音声の記録が開始された時刻ＴSと、効果音を発生した時刻ＴKをＣＰＵ３４が読み出し、その差に対応する時間Ｌ（ＴK−ＴS）を求める。そして、音声を再生してから、時間Ｌだけ経過したとき、ＣＰＵ３４が先に音声ＩＣ３６が発生した効果音とは逆位相の波形データを発生し、音声データに重ね合わた後、スピーカ５から出力させる。これにより、再生された音声に含まれる効果音の信号レベルを低下させることができる。
【０１２４】
ここでは、簡単のため、音声ＩＣ３６が効果音を発生した時刻と、それがスピーカ５より出力され、マイクロホン８に入力される時刻とは等しいものとしたが、時間的なズレがある場合にはＣＰＵ３４が逆位相の波形データを発生するタイミングを補正するようにすることもできる。
【０１２５】
このようにして、録音した音声を再生し、スピーカ５より出力するときに、その音声に含まれる効果音のレベルを低下させることができる。
【０１２６】
また、記録または再生可能な信号の周波数の範囲外の周波数の効果音を発生させるようにすることもできる。例えば、マイク８や符号化や圧縮等の性能上、音声ＩＣ３６からメモリカード２４には１０ｋＨｚ以上の周波数の音声信号が供給されないような場合、効果音の周波数を１０ｋＨｚ以上にする。これにより、効果音がメモリカード２４に記録されないようにすることができる。また、例えば、マイク８や符号化や圧縮等の性能上、音声ＩＣ３６からメモリカード２４には３０Ｈｚ以下の周波数の音声信号が供給されないような場合、効果音の周波数を３０Ｈｚ以下にする。これにより、効果音がメモリカード２４に記録されないようにすることができる。
【０１２７】
なお、上記実施例においては、ファインダ２を光学的なものとしたが、液晶を用いた液晶ファインダを用いるようにすることも可能である。
【０１２８】
また、上記実施例においては、ファインダ内に発光ダイオードを設け、それを点灯させることにより、例えば、レリーズスイッチ１０が操作されたというような情報をユーザに視覚的に知らせるようにしたが、これに限定されるものではなく、ファインダ内に液晶を設けて、所定の情報をユーザに知らせるようにすることもできる。
【０１２９】
また、上記実施例においては、マイクロホンを１つだけ設けるようにしたが、マイクロホンを左右に２つ設けるようにし、音声をステレオで記録するようにすることも可能である。
【０１３０】
また、上記実施例において、イヤホンジャック９にイヤホンが接続されたことを検出するイヤホン検出手段を設け、音声を記録中であってもイヤホンが接続された場合にのみ、イヤホンから効果音を出力するようにしてもよい。このようにすれば、耳に挿入されたイヤホンから発せられた効果音はマイク８には到達せず、記録されることがなく、かつ使用者は効果音をイヤホンによって認識することが可能となる。
【０１３１】
また、上記実施例においては、ペン型指示装置を用いて各種情報を入力するようにしたが、指を用いて入力するようにすることも可能である。
【０１３２】
さらに、ＬＣＤ６に表示された表示画面は一例であって、これに限定されるものではなく、様々なレイアウトの画面を用いるようにすることが可能である。同様に、操作キーの種類やレイアウトも一例であって、これに限定されるものではない。
【０１３３】
【発明の効果】
請求項１に記載の情報入力装置によれば、特定の処理の実行が指示された場合、ユーザにより選択された第２の効果音を出力させ、特定の処理以外の処理の実行が指示された場合、第１の設定手段により設定されている動作モードに対応する第１の効果音を読み出し、出力させることができる。従って、操作性を向上させることができる。
【図面の簡単な説明】
【図１】本発明を適用した電子カメラの一実施例を正面の側から見た斜視図である。
【図２】電子カメラ１を背面の側から見た斜視図である。
【図３】電子カメラ１の内部の構成例を示す図である。
【図４】電子カメラ１の内部の電気的構成例を示すブロック図である。
【図５】電子カメラ１のＬＣＤ６に表示される表示画面例を示す図である。
【図６】本発明を適用した電子カメラ１の動作を説明するための図である。
【図７】発光ダイオード２Ｂを設けるようにしたファインダ２の構成を示す図である。
【図８】１眼レフの場合に発光ダイオード５３を設けるようにしたファインダ５１の構成を示す図である。
【図９】発光ダイオード６１Ａ，６１Ｂを設けるようにしたファインダ５１の構成を示す図である。
【図１０】レリーズスイッチ１０が操作されたとき、ＬＣＤ６に文字列「レリーズ」が表示された様子を示す図である。
【図１１】ペン６Ｂを用いて、メニューキー７Ａを操作する様子を示す図である。
【図１２】選択画面を示す図である。
【図１３】設定モード選択画面を示す図である。
【図１４】圧縮率設定画面を示す図である。
【図１５】効果音設定画面を示す図である。
【図１６】「レリーズ音録音」選択時に表示されるメッセージを示す図である。
【図１７】レリーズ音録音時に表示されるメッセージを示す図である。
【図１８】電子カメラ１の他の電気的構成例を示すブロック図である。
【図１９】電子カメラ１のさらに他の電気的構成例を示すブロック図である。
【符号の説明】
１  電子カメラ
２  ファインダ（観察手段）
２Ａ  アイピース
２Ｂ  発光ダイオード（情報出力手段）
３  撮影レンズ（撮像手段）
４  発光部（ストロボ）（照明手段）
５  スピーカ（効果音出力手段）
６  ＬＣＤ（表示手段）
６Ａ  タッチタブレット（指示手段、設定手段、変更手段、選択手段）
６Ｂ  ペン型指示装置（指示手段、設定手段、変更手段、選択手段）
７  操作キー
７Ａ  メニューキー
７Ｂ  実行キー
７Ｃ  クリアキー
７Ｄ  キャンセルキー
７Ｅ  スクロールキー
８  マイクロホン（音声入力手段）
９  イヤホンジャック
１０  レリーズスイッチ（指示手段）
１１  電源スイッチ
１２  録音スイッチ
１３  連写モード切り換えスイッチ
２０  ＣＣＤ（撮像手段）
２１  バッテリ
２２  コンデンサ
２３  回路基板
２４  メモリカード（記憶手段）
３１  相関二重サンプリング回路（ＣＤＳ）
３２  アナログ／ディジタル変換回路（Ａ／Ｄ）
３３  ディジタルシグナルプロセッサ（ＤＳＰ）
３４  ＣＰＵ（制御手段）
３５  操作スイッチ（ＳＷ）（指示手段）
３６  音声ＩＣ（効果音出力手段、音声再生手段）
３７  バッファメモリ
３８  圧縮伸張メモリコントロール回路
３９  ＶＤＲＶ（ＣＣＤ駆動回路）
４０  ＡＧＣ（自動利得制御回路）
４１  ＣＰＵ制御バス
４２  データバス
５１  ファインダ
５２  スクリーン
５３，６１Ａ，６１Ｂ  発光ダイオード
７１  ローパス／ハイパスフィルタ（消音手段）
８１  加算器
８２  加算器（除去手段）
８３  インバータ（除去手段）
８４  発振器（除去手段、効果音出力手段）
【図１】
0004397054.tif 000002
【図２】
0004397054.tif 000003
【図３】
0004397054.tif 000004
【図４】
0004397054.tif 000005
【図５】
0004397054.tif 000006
【図６】
0004397054.tif 000007
【図７】
0004397054.tif 000008
【図８】
0004397054.tif 000009
【図９】
0004397054.tif 000010
【図１０】
0004397054.tif 000011
【図１１】
0004397054.tif 000012
【図１２】
0004397054.tif 000013
【図１３】
0004397054.tif 000014
【図１４】
0004397054.tif 000015
【図１５】
0004397054.tif 000016
【図１６】
0004397054.tif 000017
【図１７】
0004397054.tif 000018
【図１８】
0004397054.tif 000019
【図１９】
0004397054.tif 000020